(57)【要約】【課題】防蟻構造の施工性を高める。【解決手段】建物の基礎２０の屋外側を金属パッド１０で被覆すると共に、土台３０及び柱３５の下部の側周を金属パッド１０で被覆する。この金属パッド１０は、シロアリの分泌物に対して耐食性があるニッケル合金を三次元の不規則な網目構造に形成したものである。【選択図】　図２
2004124484.tif 000002
【特許請求の範囲】
【請求項１】
建物の内部にシロアリが侵入するのを防ぐ建物の防蟻構造において、
前記建物の構成部材のうち、グランドレベルを基準にして所定高さよりも下に存在する構成部材、及び／又は該所定高さよりも下に存在する構成部材の部分の少なくとも、屋外側の面が、金属製パッドで被覆され、
前記金属製パッドは、前記シロアリの分泌物に対して耐食性がある金属を三次元の不規則な網目構造に形成したものである、
ことを特徴とする建物の防蟻構造。
【請求項２】
請求項１に記載の建物の防蟻構造において、
前記金属製パッドは、発砲樹脂を発砲させ、発砲した樹脂の表面に金属を付着させた後、該樹脂を除去して形成したものである、
ことを特徴とする建物の防蟻構造。
【請求項３】
請求項１及び２のいずれか一項に記載の建物の防蟻構造において、
前記三次元の不規則な網目構造の空孔率は、９０％以上である、
ことを特徴とする建物の防蟻構造。
【請求項４】
請求項１から３のいずれか一項に記載の建物の防蟻構造において、
前記三次元の不規則な網目構造の形成金属の表面には、銅メッキ又は亜鉛メッキが施されている、
ことを特徴とする建物の防蟻構造。
【請求項５】
請求項１から４のいずれか一項に記載の建物の防蟻構造において、
前記金属パッドの端部相互は、一方の端部を構成する前記網目構造が他方の端部を構成する前記網目構造の空隙に部分的に入り込んで、接続されている、
ことを特徴とする建物の防蟻構造。
【請求項６】
請求項１から５のいずれか一項に記載の建物の防蟻構造において、
前記グランドレベルを基準にして所定高さよりも下に存在する構成部材は、地中から鉛直上方に伸びている立ち上がり部を有するコンクリート製基礎であり、前記コンクリート製基礎の前記立ち上がり部の屋外側の下端から上端までの間、及び該立ち上がり部の上面に、前記金属パッドが施され、
前記コンクリート製基礎の前記立上がり部の屋外側に施されている前記金属パッドには、モルタルが塗布されている、
ことを特徴とする建物の防蟻構造。
【請求項７】
請求項１から５のいずれか一項に記載の建物の防蟻構造において、
前記グランドレベルを基準にして所定高さよりも下に存在する構成部材は、基礎の上に設けられている四角柱状の土台材であり、
四角柱上の土台材の外周には、４つの側面を覆うよう、前記金属パッドが巻きつけられている、
ことを特徴とする建物の防蟻構造。
【請求項８】
請求項１から５のいずれか一項に記載の建物の防蟻構造において、
前記グランドレベルを基準にして所定高さよりも下に存在する構成部材の部分は、柱の下部及び／又は筋交いの下部であり、
前記柱の下部及び／又は筋交いの下部の外周には、前記金属パッドが巻きつけられている、
ことを特徴とする建物の防蟻構造。
【請求項９】
請求項１から８のいずれか一項に記載の建物の防蟻構造を備えている建物。
【請求項１０】
建物の内部にシロアリが侵入するのを防ぐ建物の防蟻構造の施工方法において、
前記シロアリの分泌物に対して耐食性がある金属を三次元の不規則な網目構造に形成した金属製パッドを準備し、
前記建物の構成部材のうち、グランドレベルを基準にして所定高さよりも下に存在する構成部材、及び／又は該所定高さよりも下に存在する構成部材の部分の少なくとも、屋外側の面を前記金属製パッドで被覆し、
前記金属製パッドの端部相互を重ね合わせた後、重なり合っている部分に衝撃荷重をかけて、該端部相互を接続する、
ことを特徴とする建物の防蟻構造の施工方法。
【発明の詳細な説明】
【０００１】
【発明の属する技術分野】
本発明は、建物の内部にシロアリが侵入するのを防ぐための防蟻構造、これを備えている建物、及び防蟻構造の施工方法に関する。
【０００２】
【従来の技術】
一般的に、建物をシロアリから守る場合、その建物の基礎等の表面に防蟻剤を施すことが多い。しかしながら、防蟻剤を使用する化学的方法は、その効果を維持できる期間が限られている上に、人間にも毒性があるため、近年、防蟻剤を使用しない方法が考えられている。
【０００３】
この防蟻剤を使用しない方法として、従来、例えば、以下の特許文献１に記載されているものがある。
【０００４】
この方法は、外周基礎の屋外側に、断熱材を設け、その屋外側面にメッシュシートを設けるものである。このメッシュシートは、ステンレスワイヤを格子状に編み込んだものである。メッシュシートの網目は、シロアリが通り抜けられないサイズになっており、メッシュシートが施されている箇所より内側へは、シロアリが侵入できないようになっている。
【０００５】
【特許文献１】
特開２００１−８１７８８号
【０００６】
【発明が解決しようとする課題】
しかしながら、以上の従来技術では、ステンレスワイヤを機械で編み込むため、さらに、ワイヤ相互の間に一定間隔を開けて、この間隔を保持するため、網目サイズに対して比較的大きな外径で且つ剛性の高いワイヤを使用する必要があり、その結果として、メッシュシートの剛性が高くなる上に、重くなり、取り扱いが面倒で施工性があまりよくないという問題点がある。
【０００７】
本発明は、このような従来の問題点に着目し、取り扱いが容易で施工性のよい防蟻構造、これを備えた建物、及び防蟻構造の施工方法を提供することを目的とする。
【０００８】
【課題を解決するための手段】
前記目的を達成するための防蟻構造は、
建物の構成部材のうち、グランドレベルを基準にして所定高さよりも下に存在する構成部材、及び／又は該所定高さよりも下に存在する構成部材の部分の少なくとも、屋外側の面が、金属製パッドで被覆され、
前記金属製パッドは、前記シロアリの分泌物に対して耐食性がある金属を三次元の不規則な網目構造に形成したものである、ことを特徴とする。
【０００９】
ここで、前記金属製パッドは、発砲樹脂を発砲させ、発砲した樹脂の表面に金属を付着させた後、該樹脂を除去して形成したものであることが好ましい。
【００１０】
前記目的を達成するための建物は、以上の防蟻構造を備えているものである。
【００１１】
また、前記目的を達成するための防蟻構造の施工方法は、
シロアリの分泌物に対して耐食性がある金属を三次元の不規則な網目構造に形成した金属製パッドを準備し、
建物の構成部材のうち、グランドレベルを基準にして所定高さよりも下に存在する構成部材、及び／又は該所定高さよりも下に存在する構成部材の部分の少なくとも、屋外側の面を前記金属製パッドで被覆し、
前記金属製パッドの端部相互を重ね合わせた後、重なり合っている部分に衝撃荷重をかけて、該端部相互を接続する、ことを特徴とする。
【００１２】
【発明の実施の形態】
以下、本発明に係る建物の実施形態について、図面を用いて説明する。
【００１３】
本実施形態における建物は、図１に示すように、コンクリート製の基礎２０の上に、土台３０を設け、さらに、その上に柱２５や筋交い３７等を設けたものである。
【００１４】
この建物は、グランドレベルを基準にして１ｍの高さまでの領域に、防蟻構造を施している。具体的には、基礎２０の屋外側、土台３０の外周、柱３５や筋交い３７の下部外周を、金属パッド１０で被覆している。
【００１５】
ここで、本実施形態の金属パッド１０の仕様について説明する。
【００１６】
この金属パッド１０は、図６に示すように、シロアリ１の分泌物に対して耐食性のあるニッケル合金を、三次元の不規則な網目状構造、言い換えると海綿体構造に形成したものである。このため、海綿体構造を形成する金属骨格１１により、形状及びサイズが不規則な複数のセル（空隙）１２が内部に多数存在している。
【００１７】
この金属パッド１０の空孔率（多孔率）は９０〜９８％で、セル密度は４０〜８０個／インチで、金属パッド１０の厚さは０．５〜２ｍｍである。なお、セル密度は、間接的にセルの平均サイズを示すものであり、この平均サイズがシロアリ１の頭部の最大径の平均値ｔ以下になるようにしている。また、ここでの空孔率とは、金属パッドに仮想面を外接させ、この仮想面で覆われた容積で、実金属容積を割った値である。
【００１８】
以上の仕様の金属パッドは、図７に示すように、先ず、発砲樹脂を金属パッドの外形状にあった形状に発砲させる（ステップ１）。この際、樹脂の発泡率は、金属パッドの仕様として定めた空孔率やセル密度に応じて定める。次に、この発砲した樹脂に導電処理を施す（ステップ２）。この導電処理では、カーボンスラリー中に発砲した樹脂を浸して、発砲した樹脂の表面に導電性を有するカーボンを付着させる。なお、ここでの樹脂の表面とは、外部側に露出している表面はもちろん、内部のセルを形成している樹脂骨格の表面も含む。続いて、カーボンが付着した樹脂に、電気メッキを施す（ステップ３）。このメッキ処理で用いるメッキ材は、金属パッドを形成するニッケル合金である。また、このメッキ処理でのメッキ量も、前述した樹脂の発泡率と同様、金属パッドの仕様として定めた空孔率やセル密度に応じて定める。次に、メッキ処理された発砲樹脂に熱処理を施して、発砲樹脂及びカーボン等を焼却除去する（ステップ４）。発砲樹脂及びカーボン等を除去すると、海綿体構造の金属パッドが形成される。この金属パッドにおける空隙（セル）は、発泡樹脂が当初から備えていたセルが金属メッキ厚さ分だけ狭くなって金属パッドのセルとなるものの他、発泡樹脂が存在していた部分が焼却除去されることで金属パッドのセルになるものがある。
【００１９】
また、金属パッドは、図８に示す工程を経ても形成することができる。具体的には、先の方法と同様、先ず、発砲樹脂を金属パッドの外形状にあった形状に発砲させる（ステップ１）。続いて、この発砲した樹脂の表面に金属粉末スラリーを付着させる（ステップ３ａ）。この金属粉末スラリーは、水分が無くなると硬化するアクリル樹脂中に、金属パッドを形成するニッケル合金の粉末を混ぜ込んだものである。この処理では、この金属粉末スラリー中に、発泡樹脂を浸して、発泡樹脂の表面に金属粉末スラリーを付着させた後、水分を飛ばして、バインダーとしてのアクリル樹脂を硬化させる。次に、金属粉末が付着した発砲樹脂に熱処理を施して、発砲樹脂等を除去する（ステップ４）。
【００２０】
以上のように、本実施形態の金属パッドは、セルの平均サイズがシロアリの頭部の最大径の平均値以下であるため、シロアリが金属パッドの一方の側から他方の側へ抜け出ることはできない。なお、セルの平均サイズがシロアリの頭部の最大径の平均値以下であるということは、シロアリの頭部の最大径よりも大きなサイズのセルも存在することになるが、仮に、このようなセルからシロアリが侵入しようとしても、金属パッドは三次元の不規則な網目構造であるため、次のセルを形成する金属骨格が、侵入したセルの出口に存在したりして、胴体部に対して頭部を極端に折り曲げなくては、次のセルに頭部を入れることができず、結局、この金属パッドを通過することはできない。
【００２１】
ところで、従来技術のメッシュシートは、前述したように、ステンレスワイヤを機械で編み込むという理由から、さらに、二次元の網目構造であるため、ワイヤ（金属骨格）相互の間隔を全ての箇所で確実に一定の間隔に保持する必要があるという理由から、網目サイズに対して比較的大きな外径で且つ剛性の高いワイヤを使用する必要がある。この結果、メッシュシートの剛性が高くなる上に、重くなってしまっている。これに対して、本実施形態の金属パッドは、三次元の不規則な網目状構造にすることで、前述したようにシロアリの侵入を防いでいるため、金属骨格の相互間隔を全ての箇所で一定に保つ必要がない上に、機械で編み込む必要もないので、従来技術のメッシュシートのように、網目サイズに対して比較的大きな外径で且つ剛性の高い金属骨格を使用する必要がない。さらに、本実施形態では、空孔率を簡単に高めることができる。したがって、本実施形態では、単位面積あたりの重量を軽くすることができる上に、メッシュシートよりも柔軟性を高めることができる。このため、取り扱いが容易で、施工性を高めることができる。
【００２２】
次に、以上で説明した金属パッド１０を用いて、基礎２０の屋外側、土台３０の外周、柱３５や筋交い３７の下部外周を被覆する方法について説明する。
【００２３】
近年の高断熱住宅では、図２に示すように、基礎２０の立ち上がり部２１の屋外側面に、断熱材２５を施すことが多い。このような場合、まず、断熱材２５の屋外側面２６の全体、断熱材２５の上面２７、及び基礎２０の上面２２を金属パッド１０で覆う。次に、この金属パッド１０をタッカー等を用いて、断熱材２５に仮止めする。最後に、断熱材２５の屋外側面２６を覆っている金属パッド１０にモルタルを塗布する。なお、基礎２０の屋外側に断熱材２５を施さない場合には、基礎２０の屋外側面を直接金属パッド１０で覆い、その後、この金属パッド１０にモルタルを塗布する。
【００２４】
基礎２０の上に設ける土台３０には、図３に示すように、土台３０を形成する角材の側周面全体に、金属パッド１０を巻き付ける。この際、金属パッド１０の一方の端部に対して他方の端部をオーバーラップさせ、オーバーラップしている部分を前述のタッカーを用いてステイプル６で角材３０に固定する。最後に、オーバーラップしている部分を木槌等５で叩く。このように、オーバーラップしている部分を木槌等５で叩くと、金属パッド１０の一方の端部を形成している金属骨格の一部が、他方の端部の空隙に入り込み、相互に絡み合う状態となり、両端部は一体化して接続される。また、オーバーラップしている部分を木槌等５で叩くと、叩いた部分の空隙が潰れるため、厚みが薄くなり、オーバーラップしている部分とオーバーラップしていない部分との段差が殆どなくなる。
【００２５】
なお、オーバーラップしている部分を木槌等５で叩くことで、金属パッド１０の端部相互を接続できるのは、金属パッド１０が三次元の不規則な網目構造だからで、従来技術のメッシュシートのように、二次元の規則的な網目構造では、同様の手法で接続することはできない。これは、金属パッド１０が三次元の不規則な網目構造であるがゆえ、金属骨格がリング状になって完全なセルを形成している部分と、金属骨格がリング状になっているものの、リングの一部が切り欠かれた状態になって不完全なセルを形成している部分とが混在し、あたかも、マジックテープ（ベルクロ社の登録商標）のフックテープとループテープとの関係のように、完全なセルを形成している部分に、サイズの小さい完全なセルや、不完全なセルを形成している金属骨格が入り込むからである。
【００２６】
以上のように、本実施形態では、金属パッドの端部相互の接続を極めて簡単に行うことができ、この観点からも施工性を向上させることができる。
【００２７】
図２に示すように、断熱材２５の上に設ける水切り３９に対しても、以上の土台３０と同様に、金属パッド１０で覆う。
【００２８】
なお、隣り合っている金属パッド相互を接続する際も、以上と同様の方法で行う。また、先に説明した基礎を金属パッドで覆う際、さらに、後述する柱等を金属パッドで覆う際にも、以上と同様の方法で金属パッドの端部相互を接続する。
【００２９】
土台３０の上には、柱３５が設けられる。このため、柱３５が設けられる土台３０の部分を金属パッド１０で覆う際には、図４に示すように、柱３５が位置する部分に切り込み１５を入れて、金属パッド１０の一部を柱３５の側面に接触させ、金属パッド１０の残りの部分全体を、土台３０の外周面にしっかりと接触させる。
【００３０】
また、柱３５の下部を金属パッドで覆おう際には、図５に示すように、グランドレベルを基準にして１ｍの高さの位置から柱３５の下端までの距離よりも、長い金属パッド１０を準備し、この金属パッド１０の土台３０が位置する部分に切り込み１６を入れ、この金属パッド１０の下部の一部を土台３０の上面に接触させ、金属パッド１０の下部の他の一部を土台３０の側面に接触させる。
【００３１】
このように、土台３０と柱３５のつなぎめ部分や、土台３０と筋交い３７のつなぎ目部分、さらに、柱３５と筋交い３７とのつなぎ目部分等、部材相互のつなぎ目部分では、一方の部材を覆う金属パッドと、他方の部材を覆う金属パッドとをオーバーラップさせて、部材相互のつなぎめ部分を複数枚の金属パッドで隙間なく覆う。
【００３２】
以上のように、本実施形態では、基礎２０や土台３０や柱３５等を金属パッド１０で覆うことにより、これらの部材の内部、さらには建物の内部にシロアリが侵入することを物理的な手法で防ぐことができる。
【００３３】
なお、本実施形態では、金属パッド１０の金属骨格をニッケル合金で形成したが、シロアリの分泌物に対して耐食性のある金属であれば、他の金属を用いてもよい。また、ニッケル合金等で形成した金属骨格の表面を銅メッキ又は亜鉛メッキしてもよい。これは、銅や亜鉛は、シロアリの忌避効果があるからである。
【００３４】
【発明の効果】
本発明によれば、従来技術のメッシュシートのように、網目サイズに対して比較的大きな外径で且つ剛性の高いワイヤを使用する必要がなく、しかも、空孔率を簡単に高めることができるため、単位面積あたりの重量を軽くすることができる上に、メッシュシートよりも柔軟性を高めることができる。このため、取り扱いが容易で、施工性を高めることができる。
【００３５】
また、本発明の金属パッドは、三次元の不規則な網目構造であるため、金属パッド相互を重ね合わせて、そこに衝撃的な荷重をかけると、一方の金属パッドの金属骨格の一部が、他方の金属パッドの空隙に入り込み、相互に絡み合う状態となり、両端部は一体化して接続されるため、金属パッドの相互の接続を極めて簡単に行うことができ、この観点からも施工性を向上させることができる。
【図面の簡単な説明】
【図１】本発明に係る一実施形態における建物の骨組みの斜視図である。
【図２】本発明に係る一実施形態における建物の基礎回りの断面図である。
【図３】本発明に係る一実施形態における、土台への金属パッドの取り付け方法を示す説明図である。
【図４】本発明に係る一実施形態における、柱とのつなぎ目部分の土台への金属パッドの取り付け方法を示す説明図である。
【図５】本発明に係る一実施形態における柱への金属パッドの取り付け方法を示す説明図である。
【図６】本発明に係る一実施形態における金属パッドの要部断面図である。
【図７】本発明に係る一実施形態における金属パッドの製造工程を示すフローチャートである。
【図８】本発明に係る他の実施形態における金属パッドの製造工程を示すフローチャートである。
【符号の説明】
１…シロアリ、５…木槌、１０…金属パッド、１１…金属骨格、１２…空隙、２０…基礎、２１…立ち上がり部、２５…断熱材、３０…土台、３５…柱、３７…筋交い、３９…水切り。
【図１】
2004124484.tif 000003
【図２】
2004124484.tif 000004
【図３】
2004124484.tif 000005
【図４】
2004124484.tif 000006
【図５】
2004124484.tif 000007
【図６】
2004124484.tif 000008
【図７】
2004124484.tif 000009
【図８】
2004124484.tif 000010